(57)【特許請求の範囲】
【請求項１】
胴部２内に口頸部３からポンプ連結筒部４を介して吸上げパイプ５を一体に垂設するとともに、その胴部２の下端に底部部材９を嵌合させてなる容器体１を設け、該容器体１の口頸部３にポンプ６を着脱自在に装着するとともに、該ポンプの吸込口７付きの下端部を上記ポンプ連結筒部４に着脱自在に嵌合させ、また、上記容器体１の胴部２の外側に外装筒８を着脱自在に嵌合させたことを特徴とする詰め替え式ポンプ付き容器。
【請求項２】
上記容器体１の底部につき、嵌合周壁10上端にすり鉢状底壁11を連設した底栓状の底部部材９を設けて、該底部部材をその嵌合周壁10にて筒状の上記胴部２の下端内周に嵌合固定させ、その嵌合周壁10には、内周面に係止突条12を周設し、また、上記外装筒８の下端に内側へと断面Ｌ字状に折り返した係合縁13を設けて、該係合縁をその係止突条12に離脱可能に係合支持させた請求項１記載の詰め替え式ポンプ付き容器。
【請求項３】
胴部２内に口頸部３からポンプ連結筒部４を介して吸上げパイプ５を一体に垂設するとともに、その胴部２の下端に底部部材９を嵌合させてなる容器体１を設け、その胴部２内に内容物を収容し、かつ、口頸部３を剥離可能なシール材14で閉塞して成り、該シール材を剥がした口頸部３にポンプ６を着脱自在に装着させるとともに、該ポンプの吸込口７付きの下端部を上記ポンプ連結筒部４に着脱自在に嵌合させ、かつ、上記胴部２の外側に外装筒８を着脱自在に嵌合させるよう設けたことを特徴とする詰め替え式ポンプ付き容器の詰め替え用容器体。
【請求項４】
上記容器体１の底部につき、嵌合周壁10上端にすり鉢状底壁11を連設した底栓状の底部部材９を設けて、該底部部材をその嵌合周壁10にて上記胴部２の下端内周に嵌合固定させ、その嵌合周壁10には、内周面に係止突条12を周設して成り、上記外装筒８の下端に内側へと断面Ｌ字状に折り返して形成した係合縁13をその係止突条12に離脱可能に係合支持させるよう設けた請求項３記載の詰め替え式ポンプ付き容器の詰め替え用容器体。
【発明の詳細な説明】
【０００１】
【発明の属する技術分野】
本発明は、詰め替え式ポンプ付き容器とその詰め替え用容器体に関するものである。
【０００２】
【従来の技術】
容器体の口頸部に噴霧ノズル、直射ノズル、発泡ノズル等のノズルを備えたポンプを着脱自在に装着して、該ポンプの操作によりその容器体内の内容物を外部へと噴出させるポンプ付き容器は既によく知られている（実開平6-57452 号公報、実開平5-33854 号公報、実開平5-2757号公報等）。この種の容器では、液体等の内容物を使い果たして容器体内が空になれば、再び充填することで幾度も使用することができる。
【０００３】
【発明が解決しようとする課題】
しかし、需要者において、その都度充填することは甚だ面倒で手間がかかり、充填の際に漏れて周辺を汚すことや内容物のロスを伴うこともある。
そこで、容器体を予め内容物が充填された詰め替え用容器体と交換可能とし、それらの外側に外装筒を着脱自在に嵌合させて、それらの容器体の保護と所要の外観の確保等を得て、それらの容器体の簡易化、低廉化を図り、併せて、ポンプから垂下させる吸上げパイプを容器体の内部に一体的に装備させて、それらの容器体へのポンプの着脱を容易にし、着脱の際の吸上げパイプの脱落、汚れ等を無くし、かつ、着脱の際の容器体からの内容物の不意の飛散等を防止とようとするものである。
【０００４】
【課題を解決するための手段】
上記目的達成のため、請求項１の詰め替え式ポンプ付き容器の発明は、胴部２内に口頸部３からポンプ連結筒部４を介して吸上げパイプ５を一体に垂設するとともにその胴部２の下端に底部部材９を嵌合させてなる容器体１を設け、該容器体１の口頸部３にポンプ６を着脱自在に装着するとともに、該ポンプの吸込口７付きの下端部を上記ポンプ連結筒部４に着脱自在に嵌合させ、また、上記容器体１の胴部２の外側に外装筒８を着脱自在に嵌合させて成る。
【０００５】
請求項２の詰め替え式ポンプ付き容器の発明は、請求項１の詰め替え式ポンプ付き容器にあって、上記容器体１の底部につき、嵌合周壁10上端にすり鉢状底壁11を連設した底栓状の底部部材９を設けて、該底部部材をその嵌合周壁10にて筒状の上記胴部２の下端内周に嵌合固定させ、その嵌合周壁10には、内周面に係止突条12を周設し、また、上記外装筒８の下端に内側へと断面Ｌ字状に折り返した係合縁13を設けて、該係合縁をその係止突条12に離脱可能に係合支持させて成る。
【０００６】
請求項３の詰め替え式ポンプ付き容器の詰め替え用容器体の発明は、胴部２内に口頸部３からポンプ連結筒部４を介して吸上げパイプ５を一体に垂設するとともに、その胴部２の下端に底部部材９を嵌合させてなる容器体１を設け、その胴部２内に内容物を収容し、かつ、口頸部３を剥離可能なシール材14で閉塞して成り、該シール材を剥がした口頸部３にポンプ６を着脱自在に装着させるとともに、該ポンプの吸込口７付きの下端部を上記ポンプ連結筒部４に着脱自在に嵌合させ、かつ、上記胴部２の外側に外装筒８を着脱自在に嵌合させるよう設けて成る。
【０００７】
請求項４の詰め替え式ポンプ付き容器の詰め替え用容器体の発明は、請求項３の詰め替え式ポンプ付き容器の詰め替え用容器体にあって、上記容器体１の底部につき、嵌合周壁10上端にすり鉢状底壁11を連設した底栓状の底部部材９を設けて、該底部部材をその嵌合周壁10にて上記胴部２の下端内周に嵌合固定させ、その嵌合周壁10には、内周面に係止突条12を周設して成り、上記外装筒８の下端に内側へと断面Ｌ字状に折り返して形成した係合縁13をその係止突条12に離脱可能に係合支持させるよう設けて成る。
【０００８】
【発明の実施の形態】
図１、図２は、請求項１及び請求項２の発明に係る詰め替え式ポンプ付き容器の実施の形態を、また、図３は、請求項３及び請求項４の発明に係る詰め替え式ポンプ付き容器の詰め替え用容器体の実施の形態を示している。
図１、図２において、１は、容器体、６は、該容器体の口頸部３に着脱自在に螺着したポンプ、８は、容器体１の胴部２に着脱自在に被着させた外装筒であり、これらは適宜合成樹脂による成形部材から成る。
【０００９】
容器体１は、ポンプ６を螺着する口頸部３を備え、該口頸部の下に肩部15を介して円筒状の胴部２を一体に連設し、また、内部にて、口頸部３の下端から二段に小径化させたポンプ連結筒部４を介して吸上げパイプ５を一体に垂設し、かつ、そのポンプ連結筒部４の上部に胴部２内の負圧化防止のための外気導入用通気孔16を穿設し、そして、底部につき、嵌合周壁10上端にすり鉢状底壁11を連設した底栓状の底部部材９を設けて、嵌合周壁10にて胴部２の下端内周に嵌合固定させ、その嵌合周壁10には、内周面下部に係止突条12を周設し、下端に短い外向きフランジ17を設けてその胴部２の下端に当接させ、かつ、そのすり鉢状底壁11には、窪みの中に上記吸上げパイプ５の下端を位置させている。なお、底部を別部材たる底部部材９で形成しているのは、合成樹脂成形の便宜のためである。
【００１０】
上記容器体１の内部には、液体等の内容物を収容するが、図３に示す詰め替え用容器体１も全く同じに形成し、該詰め替え用容器体１には、予め内容物を充填し、かつ、その口頸部３の口頂面にシール材14を剥離可能に貼着することにより閉塞している。したがって、使用の際には、そのシール材14を剥がし、元の容器体１と交換すればよい。
【００１１】
ポンプ６は、既に知られている縦シリンダ型往復ポンプであり、シリンダ18の上部外周に内ねじ螺筒の装着筒19を備えて、該装着筒により容器体１の口頸部３に着脱自在に螺着し、そのシリンダ18を口頸部３内に遊挿するとともに、シリンダ下端部及びシリンダ下端の吸込口７を容器体１のポンプ連結筒部４に着脱自在に嵌合させている。
また、ポンプ６は、上部つまりシリンダ18の上に押下げノズルヘッド20を備え、該押下げノズルヘッドを押し下げし、上昇復帰させることでポンプ作用を生じるよう構成されており、容器体１内の内容物は、ポンプ６により吸上げパイプ５を介して吸い上げられ、押下げノズルヘッド20のノズル21から外部へと噴出される。なお、ポンプ６は、外気導入路22を有しており、容器体１内の内容物が減少するに伴い該外気導入路22及び上記ポンプ連結筒部４の通気孔16を通じて外気が吸入されて、容器体１内の負圧化が防止される。
【００１２】
外装筒８は、容器体１の胴部２に対応させて円筒状に形成して、胴部２の外側に着脱自在に嵌合させており、該外装筒の下端には、内側へと断面Ｌ字状に折り返した係合縁13を一体に連設して、該係合縁を容器体１の上記係止突条12に離脱可能に係合支持させている。
【００１３】
如上の構成であるから、図１の状態において、押下げノズルヘッド20を押し下げし、上昇復帰させれば、ポンプ６が作動し、容器体１内の内容物が吸上げパイプ５を通じて吸い上げられてはその押下げノズルヘッドのノズル21から外部へと噴出される。
容器体１内の内容物が使い果たされて容器体１内が空になると、これを予め内容物が充填されている詰め替え用容器体１に交換する。
交換の際には、まず、外装筒８を下方へ引き抜き、空の容器体１の口頸部３からポンプ６を装着筒19の螺脱により取り外す。
次に、内容物が充填されている詰め替え用容器体１の口頸部３からシール材14を剥がし、該詰め替え用容器体１の口頸部３にポンプ６を装着筒19の螺合により取り付け、ポンプ６のシリンダ下端部及びシリンダ下端の吸込口７を容器体１のポンプ連結筒部４に嵌合させる。
続いて、外装筒８をその詰め替え用容器体１の胴部２に下方から嵌合させ、下端の係合縁13をその詰め替え用容器体１の底部部材９にある係止突条12に係合させる。
その後は、前回同様に押下げノズルヘッド20を操作して、内容物を噴出させればよい。
【００１４】
【発明の効果】
請求項１乃至請求項４の発明によれば、既述構成であるから、容器体１の内容物が無くなれば、予め内容物が充填されている詰め替え容器体１と簡単に交換することができ、つまり、容器価格の大半を占めるポンプ６と外装筒８とを残して低価格の簡易な詰め替え容器体１だけを交換すれば足り、したがって、ポンプ６及び外装筒８を繰り返し使用する豪華で見映えのよい高級なものにできて、使い捨ての経済的損失を無くすることができ、しかも、簡易な容器体１で強度、硬度不足があっても外装筒８で補強することができるだけでなく、その容器体１を外装筒８で外力から保護するすることができる。また、需要者においてその都度内容物を充填する面倒が無くて、手間が少なくてすみ、充填することで内容物が漏れて周辺を汚すことも内容物のロスを伴うこともない。
更に、吸上げパイプ５が容器体１の側にあってポンプ６の側にないから、容器体口頸部３へのポンプ６の着脱が容易に行え、この際の吸上げパイプの脱落、汚れ等を無くすことができ、また、容器体１における該吸上げパイプ５とポンプ連結筒部４とが内容物に対する邪魔板の役割を果たすので、容器体１の交換に際する容器体からの内容物の不意の飛散等を防止することができる。
【００１５】
加えて、請求項２、請求項４の発明によれば、元の又は詰め替え用容器体１の胴部２の下端内側に底部部材９を嵌合させ、その嵌合周壁10の内周面に係合突条12を周設して、外装筒８の下端に内側へと断面Ｌ字状に折り返して設けた係合縁13をその係止突条12に離脱可能に係合支持させているので、それらの容器体１への外装筒８の着脱は単純な差し込みと引き抜きで簡単にかつ容易に行え、しかも、構造、並びに、製作が簡単で安価に提供できる。
その上、その底部部材９にすり鉢状底壁11を設けているので、該すり鉢状底壁11の窪みに吸上げパイプ５の下端を位置させることができて、内容物を最後まで吸い上げさせることができ、残留の無駄を省くことができる。
【図面の簡単な説明】
【図１】  請求項１、請求項２の発明に係る実施の形態を示す截断側面図である。
【図２】  同実施の形態における外装筒離脱状態の截断側面図である。
【図３】  請求項３、請求項４の発明に係る実施の形態を示す分解斜視図である。
【符号の説明】
１…容器体                      ２…胴部
３…口頸部                      ４…ポンプ連結筒部
５…吸上げパイプ                ６…ポンプ
７…吸込口                      ８…外装筒
９…底部部材                    10…嵌合周壁
11…すり鉢状底壁                12…係止突条
13…係合縁                      14…シール材
15…肩部                        16…通気孔
17…外向きフランジ              18…シリンダ
19…装着筒                      20…押下げノズルヘッド
21…ノズル                      22…外気導入路
【図１】
0003688432.tif 000002
【図２】
0003688432.tif 000003
【図３】
0003688432.tif 000004